(57)【要約】【課題】例えば１２０Ｈｚの駆動性能を有する液晶表示パネルにおいて擬似的に２４０Ｈｚの駆動を行うことができるようにする。【解決手段】表示パネル４０は、複数のゲートラインと複数のソースラインとの交点に対応する位置に１つずつ配置され、それぞれが独立して駆動制御が可能とされた複数のサブ画素電極を有する。駆動制御手段（主としてタイミングコントローラ１０）は、複数のゲートラインを１ラインずつ順次選択して複数のサブ画素電極を１水平ラインずつ走査する第１の駆動モードと、複数のゲートラインをＮラインずつ順次同時に選択して複数のサブ画素電極をＮ水平ラインずつ走査する第２の駆動モードとの２つの駆動モードを選択的に用いて表示パネル４０を駆動制御する。駆動制御手段は、第２の駆動モードでは、同一のソースライン上で垂直方向に連続するＮ個のサブ画素電極を１つの駆動単位として表示駆動を行う。【選択図】図１
2011076034.tif 000002
【特許請求の範囲】
【請求項１】
水平方向に延在する走査用の複数のゲートラインと、前記複数のゲートラインに交差するように垂直方向に延在し、入力画像信号に応じた駆動信号が入力される複数のソースラインと、前記複数のゲートラインと前記複数のソースラインとの交点に対応する位置に１つずつ配置され、それぞれが独立して駆動制御が可能とされた複数のサブ画素電極とを有する表示パネルと、
前記複数のゲートラインを１ラインずつ順次選択して前記複数のサブ画素電極を１水平ラインずつ走査する第１の駆動モードと、前記複数のゲートラインをＮ（Ｎは２以上の整数）ラインずつ順次同時に選択して前記複数のサブ画素電極をＮ水平ラインずつ走査する第２の駆動モードとの２つの駆動モードを選択的に用いて前記表示パネルを駆動制御することで、前記入力画像信号に応じた画像を前記表示パネルに表示させる駆動制御手段と
を備え、
前記駆動制御手段は、
前記第１の駆動モードでは、
同一のゲートライン上で水平方向に隣接し、かつ異なる２つのソースライン上にある２つのサブ画素電極を互いに異なる階調特性で駆動すると共に、それら２つのサブ画素電極を組み合わせて全体として１画素とみなして表示駆動を行い、
前記第２の駆動モードでは、
同一のソースライン上で垂直方向に連続するＮ個のサブ画素電極を１つの駆動単位として表示駆動を行う
ようになされている画像表示装置。
【請求項２】
前記表示パネルにおいて、前記複数のサブ画素電極は、第１のサブ画素電極と、前記第１のサブ画素電極とは面積の異なる第２のサブ画素電極との２種類のサブ画素電極からなり、かつ、水平方向と垂直方向とに前記２種類のサブ画素電極が交互に配置されており、
前記駆動制御手段は、
前記第１の駆動モードでは、
同一のゲートライン上で水平方向に隣接し、かつ異なる２つのソースライン上にある第１のサブ画素電極と第２のサブ画素電極とを互いに異なる階調特性で駆動すると共に、それら第１のサブ画素電極と第２のサブ画素電極とを組み合わせて全体として１画素とみなして表示駆動を行い、
前記第２の駆動モードでは、
前記複数のゲートラインを２ラインずつ順次同時に選択して前記複数のサブ画素電極を２つの水平ラインずつ走査するようになされ、かつ、同一のソースライン上で垂直方向に隣接し、かつ異なる２つのゲートライン上にある第１のサブ画素電極と第２のサブ画素電極とを全体として１画素とみなして表示駆動を行う
ようになされている請求項１に記載の画像表示装置。
【請求項３】
前記表示パネルにおいて、前記第２のサブ画素電極は、前記第１のサブ画素電極よりも面積が大きい構成とされ、
前記駆動制御手段は、
前記第１の駆動モードにおいて、第１のゲートラインと、互いに隣接する第１および第２のソースラインとの交点にある第１のサブ画素電極と第２のサブ画素電極とを組み合わせた画素を第１の画素とし、前記第１のゲートラインに隣接する第２のゲートラインと前記第１および第２のソースラインとの交点にある他の第１のサブ画素電極と他の第２のサブ画素電極とを組み合わせた画素を第２の画素としたとき、
前記第２の駆動モードでは、前記第１および第２のゲートラインを同時に選択したとき、前記第１および第２のゲートラインと前記第１および第２のソースラインとの交点にある各サブ画素電極に関して、前記第１のゲートライン上の前記第２のサブ画素電極と前記第２のゲートライン上の前記他の第１のサブ画素電極とを前記第１の画素とみなし、前記第１のゲートライン上の前記第１のサブ画素電極と前記第２のゲートライン上の前記他の第２のサブ画素電極とを前記第２の画素とみなして表示駆動を行う
ようになされている請求項２に記載の画像表示装置。
【請求項４】
前記駆動制御手段は、
前記第１の駆動モードにおいて１画素とみなした各サブ画素電極における階調特性と、前記第２の駆動モードにおいて１画素とみなした各サブ画素電極における階調特性とを互いに異ならせるような駆動を行う
ようになされている請求項２に記載の画像表示装置。
【請求項５】
前記駆動制御手段は、
前記第２の駆動モードでは、前記入力画像信号における隣接する第１および第２の水平画素ライン上で上下に隣接する２つの画素の画素データに基づいて、前記１画素とみなした第１のサブ画素電極と第２のサブ画素電極とに印加する駆動信号の信号レベルを決定し、その駆動信号を１つのソースラインを介して前記第１のサブ画素電極と前記第２のサブ画素電極とに入力する
ようになされている請求項２に記載の画像表示装置。
【請求項６】
前記駆動制御手段は、
前記第２の駆動モードでは、前記入力画像信号における隣接する第１および第２の水平画素ライン上で上下に隣接する２つの画素の画素データと、前記２つの画素の周辺に位置する複数の他の画素の画素データとの相関に基づいて、前記１画素とみなした第１のサブ画素電極と第２のサブ画素電極とに印加する駆動信号の信号レベルを決定し、その駆動信号を１つのソースラインを介して前記第１のサブ画素電極と前記第２のサブ画素電極とに入力する
ようになされている請求項２に記載の画像表示装置。
【請求項７】
前記表示パネルにおいて、前記第２のサブ画素電極は、前記第１のサブ画素電極よりも面積が大きい構成とされ、
前記第１の駆動モードにおいて、第１のゲートラインと、互いに隣接する第１および第２のソースラインとの交点にある第１のサブ画素電極と第２のサブ画素電極とを組み合わせた画素を第１の画素とし、前記第１のゲートラインに隣接する第２のゲートラインと前記第１および第２のソースラインとの交点にある他の第１のサブ画素電極と他の第２のサブ画素電極とを組み合わせた画素を第２の画素としたとき、
前記第１のゲートライン上の前記第１のサブ画素電極の形成領域と前記第２のゲートライン上の前記他の第１のサブ画素電極の形成領域とを組み合わせたときの重心位置が、前記第１の画素と前記第２の画素とが形成された全体の領域の中心位置と一致するような電極配置とされている
請求項２に記載の画像表示装置。
【請求項８】
前記表示パネルにおいて、前記複数のサブ画素電極は、第１のサブ画素電極と、前記第１のサブ画素電極とは面積の異なる第２のサブ画素電極との２種類のサブ画素電極からなり、かつ、水平方向には前記２種類のサブ画素電極が交互に配置されると共に、垂直方向にはＮラインずつ同一種類のサブ画素電極が周期的に現れるような画素配置とされており、
前記駆動制御手段は、
前記第１の駆動モードでは、
同一のゲートライン上で水平方向に隣接し、かつ異なる２つのソースライン上にある第１のサブ画素電極と第２のサブ画素電極とを互いに異なる階調特性で駆動すると共に、それら第１のサブ画素電極と第２のサブ画素電極とを組み合わせて全体として１画素とみなして表示駆動を行い、
前記第２の駆動モードでは、
第１のソースライン上で垂直方向にＮ個連続して配置された第１の種類のサブ画素電極と、前記第１のソースラインに隣接する第２のソースライン上で垂直方向にＮ個連続して配置された第２の種類のサブ画素電極とを水平方向に互いに異なる階調特性となるように駆動すると共に、それらＮ個の第１の種類のサブ画素電極とＮ個の第２の種類のサブ画素電極とを水平方向に組み合わせて全体として１画素とみなして表示駆動を行う
ようになされている請求項１に記載の画像表示装置。
【請求項９】
前記駆動制御手段は、
前記第２の駆動モードでは、入力画像信号からＮ水平ラインごとに（Ｎ−１）水平ラインのデータの間引きを行った画像信号を生成し、その間引き後の画像信号に基づいて前記表示パネルを駆動する
ようになされている請求項８に記載の画像表示装置。
【請求項１０】
前記駆動制御手段は、
前記第２の駆動モードでは、前記第１の駆動モードに対して１／Ｎの走査期間で１画面の走査を行う
ようになされている請求項１に記載の画像表示装置。
【請求項１１】
前記駆動制御手段には、前記入力画像信号として、互いに視差のある左眼用画像と右眼用画像とが時間順次で含まれる立体画像信号が入力され、
前記駆動制御手段は、
前記第２の駆動モードでは、
１フレーム期間内に、同一の左眼用画像をＮ回連続して表示すると共に、前記左眼用画像の表示前または表示後に、同一の右眼用画像をＮ回連続して表示する制御を行う
ようになされている請求項１に記載の画像表示装置。
【請求項１２】
水平方向に延在する走査用の複数のゲートラインと、前記複数のゲートラインに交差するように垂直方向に延在し、入力画像信号に応じた駆動信号が入力される複数のソースラインと、前記複数のゲートラインと前記複数のソースラインとの交点に対応する位置に１つずつ配置され、それぞれが独立して駆動制御が可能とされた複数のサブ画素電極とを有する表示パネルと、
前記複数のゲートラインを１ラインずつ順次選択して前記複数のサブ画素電極を１水平ラインずつ走査する第１の駆動モードと、前記複数のゲートラインをＮ（Ｎは２以上の整数）ラインずつ順次同時に選択して前記複数のサブ画素電極をＮ水平ラインずつ走査する第２の駆動モードとの２つの駆動モードで前記表示パネルを選択的に駆動制御を行う駆動制御手段と
を備え、
前記駆動制御手段は、
前記第１の駆動モードでは、
同一のゲートライン上で水平方向に隣接し、かつ異なる２つのソースライン上にある２つのサブ画素電極を互いに異なる階調特性で駆動すると共に、それら２つのサブ画素電極を組み合わせて全体として１画素とみなして表示駆動を行い、
前記第２の駆動モードでは、
第１のソースライン上で垂直方向に連続して配置されたＮ個のサブ画素電極と、前記第１のソースラインに隣接する第２のソースライン上で垂直方向に連続して配置されたＮ個のサブ画素電極とを組み合わせて全体として１画素とみなして表示駆動を行う
ようになされている画像表示装置。
【請求項１３】
水平方向に延在する走査用の複数のゲートラインと、前記複数のゲートラインに交差するように垂直方向に延在し、入力画像信号に応じた駆動信号が入力される複数のソースラインと、前記複数のゲートラインと前記複数のソースラインとの交点に対応する位置に１つずつ配置され、それぞれが独立して駆動制御が可能とされた複数のサブ画素電極とを有する表示パネルを、駆動制御手段によって制御し、
前記駆動制御手段が、
前記複数のゲートラインを１ラインずつ順次選択して前記複数のサブ画素電極を１水平ラインずつ走査する第１の駆動モードと、前記複数のゲートラインをＮ（Ｎは２以上の整数）ラインずつ順次同時に選択して前記複数のサブ画素電極をＮ水平ラインずつ走査する第２の駆動モードとの２つの駆動モードを選択的に用いて前記表示パネルを駆動制御することで、前記入力画像信号に応じた画像を前記表示パネルに表示させ、
前記第１の駆動モードでは、
同一のゲートライン上で水平方向に隣接し、かつ異なる２つのソースライン上にある２つのサブ画素電極を互いに異なる階調特性で駆動すると共に、それら２つのサブ画素電極を組み合わせて全体として１画素とみなして表示駆動を行い、
前記第２の駆動モードでは、
同一のソースライン上で垂直方向に連続するＮ個のサブ画素電極を１つの駆動単位として表示駆動を行う
ようにした画像表示装置の駆動方法。
【請求項１４】
水平方向に延在する走査用の複数のゲートラインと、前記複数のゲートラインに交差するように垂直方向に延在し、入力画像信号に応じた駆動信号が入力される複数のソースラインと、前記複数のゲートラインと前記複数のソースラインとの交点に対応する位置に１つずつ配置され、それぞれが独立して駆動制御が可能とされた複数のサブ画素電極とを有する表示パネルを、駆動制御手段によって制御し、
前記駆動制御手段が、
前記複数のゲートラインを１ラインずつ順次選択して前記複数のサブ画素電極を１水平ラインずつ走査する第１の駆動モードと、前記複数のゲートラインをＮ（Ｎは２以上の整数）ラインずつ順次同時に選択して前記複数のサブ画素電極をＮ水平ラインずつ走査する第２の駆動モードとの２つの駆動モードを選択的に用いて前記表示パネルを駆動制御することで、前記入力画像信号に応じた画像を前記表示パネルに表示させ、
前記第１の駆動モードでは、
同一のゲートライン上で水平方向に隣接し、かつ異なる２つのソースライン上にある２つのサブ画素電極を互いに異なる階調特性で駆動すると共に、それら２つのサブ画素電極を組み合わせて全体として１画素とみなして表示駆動を行い、
前記第２の駆動モードでは、
第１のソースライン上で垂直方向に連続して配置されたＮ個のサブ画素電極と、前記第１のソースラインに隣接する第２のソースライン上で垂直方向に連続して配置されたＮ個のサブ画素電極とを組み合わせて全体として１画素とみなして表示駆動を行う
ようにした画像表示装置の駆動方法。
【発明の詳細な説明】
【技術分野】
【０００１】
本発明は、例えばメガネ式の立体表示に利用される画像表示装置および画像表示装置の駆動方法に関する。
【背景技術】
【０００２】
従来より、液晶シャッタを利用した立体視用の特殊なメガネを装着させて観察者の両眼に視差のある別々の画像を見せることで、立体視を実現する眼鏡式の立体表示装置が知られている。立体視を実現するためには、左眼と右眼とに異なる視差画像を見せる必要があるため、左眼用画像と右眼用画像との２つの視差画像が必要となる。メガネ式の立体表示装置では、２次元表示パネルに時分割で左眼用画像と右眼用画像とを交互に表示し、その表示タイミングに同期させて液晶シャッタメガネのシャッタを左眼と右眼とで交互にオン／オフ（開／閉）制御することで、立体視を実現する。
【先行技術文献】
【特許文献】
【０００３】
【特許文献１】特開平１１−９５７２２号公報
【特許文献２】特開２００５−３１６２１１号公報
【発明の概要】
【発明が解決しようとする課題】
【０００４】
立体表示装置において、２次元表示パネルに両眼視差画像を表示する場合、左右の各視差画像の表示間隔が空きすぎてしまうとフリッカが発生する。これを解決するために、通常の６０Ｈｚ（または５０Ｈｚ）のフレーム周波数期間内に、左右の各視差画像を時分割で表示する方法がある。この場合、各視差画像が１２０Ｈｚ（または１００Ｈｚ）のフレーム周波数で表示される。この場合、２次元表示パネルとしては、通常の６０Ｈｚの駆動速度に対して１２０Ｈｚの２倍速での駆動性能が必要とされる。特許文献１では、２次元表示パネルとしてプラズマディスプレイパネルを用いる場合において、２つの水平ラインを同時に走査することで、２倍速での駆動を可能としている。この２つの水平ラインを同時に走査する方法では、垂直方向の表示解像度が１／２に低下してしまう。特許文献１では、奇数フィールドと偶数フィールドとで、同時に走査する２つの水平ラインの組み合わせを変えることで、表示解像度の低下を軽減している。一方、液晶表示パネルの場合、近年では１２０Ｈｚの倍速駆動が可能なものが既に製品化されており、表示解像度を低下させることなく、６０Ｈｚ（または５０Ｈｚ）のフレーム周波数期間内に、左右の各視差画像を時分割で表示することが可能である。
【０００５】
しかしながら、液晶表示パネルの場合、液晶の応答速度に問題があり、駆動信号を印加してから画像が完全に切り換わるまでに遅延が生ずる場合がある。このため、左右の各視差画像を時分割で表示する場合において、１２０Ｈｚ（１００Ｈｚ）ごとに左右の各視差画像を切り替えて表示するときには、左右の各視差画像が完全に切り替わらない。また、１２０Ｈｚ（１００Ｈｚ）の周波数での走査ではほとんど常に画像を更新しているので、画面全体として表示画像が確定している（止まっている）ときがない。これにより、液晶シャッタメガネのシャッタを開くタイミングに関して、左眼と右眼とに左右の各視差画像を別々に見せることができるような、適切なタイミングがなくなり、左右の各視差画像が混じって表示されるクロストークが発生する場合がある。例えばバックライトを常時点灯させ、画面を上から下へと走査して行く場合、特に画面の上下に行くに従ってクロストークが酷くなってしまう。これを改善する方法として、左右の各視差画像を時分割で２度書きする方法が考えられる。例えば左眼用画像をＬ、右眼用画像をＲとすると、６０Ｈｚのフレーム周波数期間内に例えばＬＬＲＲの順に画像表示を行う方法が考えられる。この場合、同じ画像を２度書きすることで、左右の各視差画像を１枚ずつ表示する場合に比べて、左右の各視差画像の切り換えタイミングが改善される。そして十分に左右の各視差画像が切り換わったタイミングで液晶シャッタメガネのシャッタをオン／オフ制御することで、クロストークを改善できる。また、グレー（または黒）画像を挿入する方法が考えられる。この場合、グレー画像をＧｒとすると、６０Ｈｚのフレーム周波数期間内に例えばＬ，Ｇｒ，Ｒ，Ｇｒの順に画像表示を行う方法が考えられる。左眼用画像Ｌと右眼用画像Ｒとの間にグレー画像Ｇｒが挿入されていることで、左右の各視差画像が混じってしまうことが軽減される。また、黒画像を挿入する場合には、バックライトを画素の書き込み走査に同期させて点灯制御する手法が併せて用いられていることが多い。これらにより左右画像の混じりが軽減される。
【０００６】
上記したＬＬＲＲの表示等を行うためには、各視差画像やグレー画像を２４０Ｈｚ以上のフレーム周波数で表示する必要がある。最近では液晶表示パネルの高級機種として、通常の６０Ｈｚ（または５０Ｈｚ）の駆動速度に対して、２４０Ｈｚ（または２００Ｈｚ）の４倍速での駆動が可能なものが開発されている。このような液晶表示パネルを用いることで、上記したＬＬＲＲの表示等を行うことが可能である。しかしながら、市場の多様なニーズを考えると、高級機種以外の機種でも上記したＬＬＲＲの表示等を行うことが要求される。例えば１２０Ｈｚの駆動性能を有する機種において、擬似的に２４０Ｈｚを行うことが要求される。この場合、上記特許文献１に記載の技術のように、２つの水平ラインを同時に走査して駆動速度を上げることが考えられる。しかしながら、上記特許文献１に記載の技術はプラズマディスプレイパネルに適用される駆動方法であり、液晶表示パネルの駆動に最適であるとは限らない。
【０００７】
例えば上記特許文献２に記載されているように、液晶表示パネルでは、異なった方向から見た場合に階調の視角特性が変わってしまう問題があり、これを改善するためにハーフトーン技術が用いられる。これは、１画素を互いに面積の異なる第１のサブ画素電極と第２のサブ画素電極とに分割し、各サブ画素電極を互いに異なる階調特性で駆動することで、階調の視角特性を改善するものである。上記特許文献１に記載の技術はプラズマディスプレイパネルに適用される駆動方法であり、視角特性改善のために１画素が分割された構造を有する液晶表示パネルにおいて、各サブ画素電極を具体的にどのようにして走査すれば良いかについては記載がない。
【０００８】
本発明はかかる問題点に鑑みてなされたもので、その目的は、例えば１２０Ｈｚの駆動性能を有する液晶表示パネルにおいて擬似的に２４０Ｈｚの駆動を行うことができるようにした画像表示装置およびその駆動方法を提供することにある。
【課題を解決するための手段】
【０００９】
本発明の第１の観点に係る画像表示装置は、水平方向に延在する走査用の複数のゲートラインと、複数のゲートラインに交差するように垂直方向に延在し、入力画像信号に応じた駆動信号が入力される複数のソースラインと、複数のゲートラインと複数のソースラインとの交点に対応する位置に１つずつ配置され、それぞれが独立して駆動制御が可能とされた複数のサブ画素電極とを有する表示パネルを備えている。また、複数のゲートラインを１ラインずつ順次選択して複数のサブ画素電極を１水平ラインずつ走査する第１の駆動モードと、複数のゲートラインをＮ（Ｎは２以上の整数）ラインずつ順次同時に選択して複数のサブ画素電極をＮ水平ラインずつ走査する第２の駆動モードとの２つの駆動モードを選択的に用いて表示パネルを駆動制御することで、入力画像信号に応じた画像を表示パネルに表示させる駆動制御手段を備えている。
そして、駆動制御手段が、第１の駆動モードでは、同一のゲートライン上で水平方向に隣接し、かつ異なる２つのソースライン上にある２つのサブ画素電極を互いに異なる階調特性で駆動すると共に、それら２つのサブ画素電極を組み合わせて全体として１画素とみなして表示駆動を行うようにしたものである。また、第２の駆動モードでは、同一のソースライン上で垂直方向に連続するＮ個のサブ画素電極を１つの駆動単位として表示駆動を行うようにしたものである。
【００１０】
本発明の第１の観点に係る画像表示装置において、複数のサブ画素電極は、第１のサブ画素電極と、第１のサブ画素電極とは面積の異なる第２のサブ画素電極との２種類のサブ画素電極からなり、かつ、水平方向と垂直方向とに２種類のサブ画素電極が交互に配置された構成であっても良い。この場合、駆動制御手段は、例えば、第１の駆動モードでは、同一のゲートライン上で水平方向に隣接し、かつ異なる２つのソースライン上にある第１のサブ画素電極と第２のサブ画素電極とを互いに異なる階調特性で駆動すると共に、それら第１のサブ画素電極と第２のサブ画素電極とを組み合わせて全体として１画素とみなして表示駆動を行う。第２の駆動モードでは、複数のゲートラインを２ラインずつ順次同時に選択して複数のサブ画素電極を２つの水平ラインずつ走査し、かつ、同一のソースライン上で垂直方向に隣接し、かつ異なる２つのゲートライン上にある第１のサブ画素電極と第２のサブ画素電極とを全体として１画素とみなして表示駆動を行う。
この駆動方法の場合、第１の駆動モードでは、１画素内で２つのサブ画素電極が互いに異なる階調特性で駆動されるハーフトーン駆動がなされるので、階調の視角特性が改善される。第２の駆動モードでは、同一のソースライン上で垂直方向に隣接する２つのサブ画素電極を１画素とみなして表示駆動が行われるので、ハーフトーン駆動はできないが、表示解像度を低下させることなく、第１の駆動モードに対して駆動速度を２倍にすることができる。
【００１１】
本発明の第１の観点に係る画像表示装置において、複数のサブ画素電極は、第１のサブ画素電極と、第１のサブ画素電極とは面積の異なる第２のサブ画素電極との２種類のサブ画素電極からなり、かつ、水平方向には２種類のサブ画素電極が交互に配置されると共に、垂直方向にはＮラインずつ同一種類のサブ画素電極が周期的に現れるような画素配置とされていても良い。この場合、駆動制御手段は、例えば、第１の駆動モードでは、同一のゲートライン上で水平方向に隣接し、かつ異なる２つのソースライン上にある第１のサブ画素電極と第２のサブ画素電極とを互いに異なる階調特性で駆動すると共に、それら第１のサブ画素電極と第２のサブ画素電極とを組み合わせて全体として１画素とみなして表示駆動を行う。第２の駆動モードでは、第１のソースライン上で垂直方向にＮ個連続して配置された第１の種類のサブ画素電極と、第１のソースラインに隣接する第２のソースライン上で垂直方向にＮ個連続して配置された第２の種類のサブ画素電極とを水平方向に互いに異なる階調特性となるように駆動すると共に、それらＮ個の第１の種類のサブ画素電極とＮ個の第２の種類のサブ画素電極とを水平方向に組み合わせて全体として１画素とみなして表示駆動を行う。
この駆動方法の場合、第１の駆動モードでは、１画素内で２つのサブ画素電極が互いに異なる階調特性で駆動されるハーフトーン駆動がなされるので、階調の視角特性が改善される。第２の駆動モードでは、複数のゲートラインをＮラインずつ順次同時に選択して複数のサブ画素電極をＮ水平ラインずつ走査するので、第１の駆動モードに対して駆動速度をＮ倍にすることができる。このとき、第１のソースライン上で垂直方向にＮ個連続して配置された第１の種類のサブ画素電極と、第２のソースライン上で垂直方向にＮ個連続して配置された第２の種類のサブ画素電極とを互いに異なる階調特性となるように駆動するので、駆動速度をＮ倍にしつつ、ハーフトーン駆動がなされる。これにより、表示解像度は低下するが、階調の視角特性の改善効果を得た状態で、第１の駆動モードに対して駆動速度をＮ倍にすることができる。
【００１２】
本発明の第２の観点に係る画像表示装置は、水平方向に延在する走査用の複数のゲートラインと、複数のゲートラインに交差するように垂直方向に延在し、入力画像信号に応じた駆動信号が入力される複数のソースラインと、複数のゲートラインと複数のソースラインとの交点に対応する位置に１つずつ配置され、それぞれが独立して駆動制御が可能とされた複数のサブ画素電極とを有する表示パネルを備えている。また、複数のゲートラインを１ラインずつ順次選択して複数のサブ画素電極を１水平ラインずつ走査する第１の駆動モードと、複数のゲートラインをＮ（Ｎは２以上の整数）ラインずつ順次同時に選択して複数のサブ画素電極をＮ水平ラインずつ走査する第２の駆動モードとの２つの駆動モードで表示パネルを選択的に駆動制御を行う駆動制御手段を備えている。
そして、駆動制御手段が、第１の駆動モードでは、同一のゲートライン上で水平方向に隣接し、かつ異なる２つのソースライン上にある２つのサブ画素電極を互いに異なる階調特性で駆動すると共に、それら２つのサブ画素電極を組み合わせて全体として１画素とみなして表示駆動を行うようにしたものである。また、第２の駆動モードでは、第１のソースライン上で垂直方向に連続して配置されたＮ個のサブ画素電極と、第１のソースラインに隣接する第２のソースライン上で垂直方向に連続して配置されたＮ個のサブ画素電極とを組み合わせて全体として１画素とみなして表示駆動を行うようにしたものである。
【００１３】
本発明の第２の観点に係る画像表示装置では、第１の駆動モードでは、１画素内で２つのサブ画素電極が互いに異なる階調特性で駆動されるハーフトーン駆動がなされるので、階調の視角特性が改善される。第２の駆動モードでは、複数のゲートラインをＮラインずつ順次同時に選択して複数のサブ画素電極をＮ水平ラインずつ走査するので、第１の駆動モードに対して駆動速度をＮ倍にすることができる。
【発明の効果】
【００１４】
本発明の第１または第２の観点に係る画像表示装置によれば、第２の駆動モードでは、複数のゲートラインをＮラインずつ順次同時に選択して複数のサブ画素電極をＮ水平ラインずつ走査するようにしたので、第１の駆動モードに対して駆動速度をＮ倍にすることができる。例えば第２の駆動モードで、複数のゲートラインを２ラインずつ順次同時に選択する走査を行うことで、例えば１２０Ｈｚの駆動性能を有する液晶表示パネルにおいて擬似的に２４０Ｈｚの駆動を行うことができる。
【００１５】
特に、第１の観点に係る画像表示装置において、第２の駆動モードで、同一のソースライン上で垂直方向に隣接する２つのサブ画素電極を１画素とみなして表示駆動を行うようにした場合には、表示解像度を低下させることなく、第１の駆動モードに対して駆動速度を２倍にすることができる。
【００１６】
特に、第１の観点に係る画像表示装置において、第１のソースライン上で垂直方向にＮ個連続して配置された第１の種類のサブ画素電極と、第２のソースライン上で垂直方向にＮ個連続して配置された第２の種類のサブ画素電極とを互いに異なる階調特性となるように駆動した場合には、駆動速度をＮ倍にしつつ、ハーフトーン駆動を行うことができる。これにより、階調の視角特性の改善効果を得た状態で、第１の駆動モードに対して駆動速度をＮ倍にすることができる。
【図面の簡単な説明】
【００１７】
【図１】本発明の第１の実施の形態に係る画像表示装置の回路構成を示すブロック図である。
【図２】第１の実施の形態に係る画像表示装置における表示パネルの画素電極の基本構造を示すと共に、通常駆動（第１の駆動モード）を行う場合のサブ画素電極の組み合わせ例を模式的に示す構成図である。
【図３】第１の実施の形態に係る画像表示装置において、疑似倍速駆動（第２の駆動モード）を行う場合のサブ画素電極の組み合わせ例を模式的に示す構成図である。
【図４】（Ａ）は第１の駆動モードでの画素電極の組み合わせ例を示す説明図であり、（Ｂ）は第２の駆動モードでの画素電極の組み合わせ例を示す説明図である。
【図５】（Ａ）は６０Ｈｚのフレーム周波数期間内に左眼用画像と右眼用画像とが１つずつ含まれた立体画像が入力される状態を模式的に示す説明図であり、（Ｂ）は（Ａ）に示した入力画像を第１の駆動モードで表示した状態を模式的に示す説明図である。
【図６】（Ａ）は６０Ｈｚのフレーム周波数期間内に左眼用画像と右眼用画像とが２つずつ含まれた状態を模式的に示す説明図であり、（Ｂ）は（Ａ）に示した各画像を第２の駆動モードで表示した状態を模式的に示す説明図である。
【図７】（Ａ）は６０Ｈｚのフレーム期間に左眼用画像と右眼用画像とグレー画像とが交互に含まれた状態を模式的に示す説明図であり、（Ｂ）は（Ａ）に示した各画像を第２の駆動モードで表示した状態を模式的に示す説明図である。
【図８】第１の実施の形態に係る画像表示装置において、第１の駆動モードで表示を行う場合の各種駆動信号の波形を示すタイミングチャートである。
【図９】第１の実施の形態に係る画像表示装置において、第２の駆動モードで表示を行う場合の各種駆動信号の波形を示すタイミングチャートである。
【図１０】第２の実施の形態に係る画像表示装置において、第２の駆動モードで表示を行う場合のサブ画素電極の組み合わせ例を模式的に示す構成図である。
【図１１】第２の実施の形態に係る画像表示装置において、第２の駆動モードで表示を行う場合の各種駆動信号の波形を示すタイミングチャートである。
【図１２】第３の実施の形態に係る画像表示装置の回路構成を示すブロック図である。
【図１３】第３の実施の形態に係る画像表示装置における３Ｄガンマ変換回路の第１の構成例を示すブロック図である。
【図１４】第３の実施の形態に係る画像表示装置における３Ｄガンマ変換回路の第２の構成例を示すブロック図である。
【図１５】第３の実施の形態に係る画像表示装置における３Ｄガンマ変換回路の第３の構成例を示すブロック図である。
【図１６】図２に示した画素構成での各サブ画素電極における階調−透過率特性を示す特性図である。
【図１７】図１０に示した画素構成での各サブ画素電極における階調−透過率特性を示す特性図である。
【図１８】第４の実施の形態に係る画像表示装置において、第２の駆動モードで表示を行う場合のサブ画素電極の組み合わせ例を模式的に示す構成図である。
【図１９】第４の実施の形態に係る画像表示装置において、第２の駆動モードで表示を行う場合の各種駆動信号の波形を示すタイミングチャートである。
【発明を実施するための形態】
【００１８】
以下、本発明の実施の形態について図面を参照して詳細に説明する。
【００１９】
＜第１の実施の形態＞
［画像表示装置の全体構成］
図１は、本発明の第１の実施の形態に係る画像表示装置の全体構成を示している。この画像表示装置は、例えばメガネ式の立体表示装置として用いることができる。この画像表示装置は、タイミングコントローラ（ＴＣＯＮ）（ＬＣＤコントローラ）１０と、第１のフレームバッファ２１と、外部ＲＯＭ（Read Only Memory）２２と、第２のフレームバッファ２３と、表示パネル４０とを備えている。この画像表示装置はまた、表示パネル４０の複数のソースラインに接続されたソースドライバ４１と、表示パネル４０の複数のゲートラインに接続されたゲートドライバ４２とを備えている。ソースドライバ４１は、複数個のドライバ４１−１，４１−２，…４１−ｎからなり、それぞれのドライバには、所定数のソースラインが接続されている。ゲートドライバ４２は、複数個のドライバ４２−１，４２−２，…４２−ｍからなり、それぞれのドライバには、所定数のゲートラインが接続されている。図１において、表示パネル４０を除く回路部分が、本発明における「駆動制御手段」の一具体例に対応する。
【００２０】
表示パネル４０は、例えばバックライト３から照射された光の通過を液晶分子によってコントロールすることによって画像表示を行う透過型の液晶パネルである。表示パネル４０は、図示しないが、画素電極基板と、画素電極基板に対向するように配置された対向基板と、画素電極基板と対向基板との間に封入された液晶層とを備えている。対向基板の液晶層側には、共通電位ＶＣが印加される面状の共通電極が一様に形成されている。画素電極基板の液晶層側には、マトリクス状に複数の画素電極が形成されている。共通電極と画素電極は、例えばＩＴＯ（Indium-Tin Oxide）による透明電極によって形成されている。
【００２１】
［表示パネル４０における画素電極の基本構造］
図２は、表示パネル４０における画素電極の基本構造を示している。図２ではまた、後述する通常駆動（第１の駆動モード）を行う場合のサブ画素電極の組み合わせ例を模式的に示している。表示パネル４０の画素電極基板には、水平方向に延在する走査用の複数のゲートラインＧ１，Ｇ２，Ｇ３…と、入力画像信号に応じた駆動信号が入力される複数のソースラインＳ１，Ｓ２，Ｓ３…と、複数のサブ画素電極とが設けられている。複数のソースラインＳ１，Ｓ２，Ｓ３…は、複数のゲートラインＧ１，Ｇ２，Ｇ３…に交差するように垂直方向に延在している。サブ画素電極は、複数のゲートラインＧ１，Ｇ２，Ｇ３…と複数のソースラインＳ１，Ｓ２，Ｓ３…との交点に対応する位置に１つずつ配置されている。図２の構成例では、第１および第２のソースラインＳ１，Ｓ２に接続されたサブ画素電極は赤色用の画素電極であり、第３および第４のソースラインＳ３，Ｓ４に接続されたサブ画素電極は緑色用の画素電極である。第５および第６のソースラインＳ５，Ｓ６に接続されたサブ画素電極は緑色用の画素電極である。なお、以下、本実施の形態の説明において、「１画素」という場合には、各色についての単位画素のことをいう。
【００２２】
複数のサブ画素電極にはそれぞれ、薄膜トランジスタからなるスイッチング素子Ｔが接続され、それぞれが独立して駆動制御が可能とされている。複数のサブ画素電極は、第１のサブ画素電極Ａと、第１のサブ画素電極Ａとは面積の異なる第２のサブ画素電極Ｂとの２種類のサブ画素電極からなる。２種類のサブ画素電極は、水平方向と垂直方向とに交互に配置されている。第２のサブ画素電極Ｂは、第１のサブ画素電極Ａよりも面積が大きい構成とされている。通常駆動（第１の駆動モード）時には、水平方向に隣接する第１のサブ画素電極Ａと第２のサブ画素電極Ｂとを組み合わせて１画素とみなした駆動が行われる。
【００２３】
ここで、図２における左上の第１および第２のサブ画素電極１Ａ，１Ｂと、その下側にある他の第１および第２のサブ画素電極２Ａ，２Ｂとを例にして、画素構造を具体的に説明する。図２において、例えば左上の第１のサブ画素電極１Ａに対応する部分には、画素容量ＣＬ−ＲＡ１と補助容量ＣＳ−ＲＡ１とが形成される。画素容量ＣＬ−ＲＡ１は、第１のサブ画素電極１Ａと図示しない対向基板側の共通電極との間に形成される容量である。補助容量ＣＳ−ＲＡ１は、第１のサブ画素電極１Ａと補助容量バス線との間に形成される容量である。
【００２４】
第１および第２のサブ画素電極１Ａ，１Ｂは、スイッチング素子ＴＡ１，ＴＢ１を介して第１のゲートラインＧ１に共通接続されている。他の第１および第２のサブ画素電極２Ａ，２Ｂは、他のスイッチング素子ＴＡ２，ＴＢ２を介して第２のゲートラインＧ２に共通接続されている。
【００２５】
図４（Ａ）は、第１および第２のサブ画素電極１Ａ，１Ｂと、他の第１および第２のサブ画素電極２Ａ，２Ｂとの電極形状の例を示している。ここで、第１および第２のサブ画素電極１Ａ，１Ｂの組み合わせを第１の画素とし、他の第１および第２のサブ画素電極２Ａ，２Ｂの組み合わせを第２の画素とする。このとき、第１のサブ画素電極１Ａの形成領域と他の第１のサブ画素電極２Ａの形成領域とを組み合わせたときの重心位置が、第１の画素と第２の画素とが形成された全体の領域の中心位置と略一致するような電極配置とされている。
【００２６】
［駆動制御手段の回路構成］
図１に戻って回路構成について説明する。タイミングコントローラ１０は、受信部１１と、データ処理回路１２と、第１のメモリコントローラ１３と、色補正回路１４と、オーバドライブ回路１５と、第２のメモリコントローラ１６と、タイミングジェネレータ回路部１７とを有している。タイミングジェネレータ回路部１７は、制御信号生成部１８と、データフォーマッタ１９と、送信部２０とを有している。
【００２７】
タイミングコントローラ１０は、入力画像信号に基づいてソースドライバ４１およびゲートドライバ４２を制御することで表示パネル４０の駆動を行うものである。タイミングコントローラ１０は、第１の駆動モードと第２の駆動モードとの２つの駆動モードを選択的に用いて、入力画像信号に応じた画像を表示パネルに表示させるようになっている。
【００２８】
ここで、第１の駆動モードは、表示パネル４０における複数のゲートラインＧ１，Ｇ２，Ｇ３…を１ラインずつ順次選択して複数のサブ画素電極を１水平ラインずつ走査するものである。第２の駆動モードは、表示パネル４０における複数のゲートラインＧ１，Ｇ２，Ｇ３…を２ラインずつ順次同時に選択して複数のサブ画素電極を２水平ラインずつ連続的に走査するものである。第１の駆動モードは、通常の駆動速度による走査モードであり、第２の駆動モードは、第１の駆動モードに対して擬似的に２倍の速度で駆動を行う走査モードである。
【００２９】
外部ＲＯＭ２２は、タイミングコントローラ１０内部の動作設定を格納するものである。第１のフレームバッファ２１および第２のフレームバッファ２３は、例えばタイミングコントローラ１０において、フレーム間画像の信号処理を行うための画像情報を一時格納するものである。ゲートドライバ４２は、表示パネル４０の各サブ画素電極に接続されたスイッチング素子Ｔを水平ライン単位でオンさせるものである。ソースドライバ４１は、ゲートドライバ４２によって選択された水平ラインの画素に、表示データに相当する電位を供給するものである。
【００３０】
受信部１１は、外部から転送された入力画像信号を受信するものである。入力画像信号としては例えば、Ｒ（赤），Ｇ（緑），Ｂ（青）の画像データ信号と、表示制御信号（垂直同期信号Hsync、水平同期信号Vsync、書き込み制御信号Enable）とを含む信号が入力される。画像データ信号は、例えば図５（Ａ）に示したように、互いに視差のある左眼用画像Ｌ１，Ｌ２…と右眼用画像Ｒ１，Ｒ２…とが時間順次で交互に含まれる立体画像信号である。例えば６０Ｈｚのフレーム周波数期間（１６．６ｍｓ）内に、左右の各視差画像が１つずつ含まれている。この場合、各視差画像は１２０Ｈｚ（８．３ｍｓ）で更新されることになる。タイミングコントローラ１０は、図５（Ａ）に示したようなフレーム構成の画像を表示する場合に、表示パネル４０を図５（Ｂ）に示したように１水平ラインずつ走査するような第１の駆動モードで駆動する。
【００３１】
データ処理回路１２は、入力画像信号のフレームレートを変換するものである。第１のメモリコントローラ１３は、データ処理回路１２と第１のフレームバッファ２１間の画像情報の書き込み、読み出し制御を行うものである。
【００３２】
データ処理回路１２は、例えば図５（Ａ）に示したような入力画像を、例えば図６（Ａ）や図７（Ａ）に示したような画像データに変換するようになっている。図６（Ａ）は、図５（Ａ）の入力画像に対して、６０Ｈｚのフレーム周波数期間（１６．６ｍｓ）内に、同一の視差画像が２つずつ連続するような画像変換を行ったものである。この場合、各視差画像は２４０Ｈｚ（４．１７ｍｓ）で更新されることになる。図７（Ａ）は、図５（Ａ）の入力画像に対して、左右の視差画像間にグレー画像Ｇｒを挿入するような画像変換を行ったものである。この場合、各視差画像とグレー画像Ｇｒとが、２４０Ｈｚ（４．１７ｍｓ）で更新されることになる。タイミングコントローラ１０は、図６（Ａ），図７（Ａ）に示したようなフレーム構成の画像を表示する場合に、表示パネル４０を第２の駆動モードで駆動する。すなわち、表示パネル４０を図６（Ｂ），図７（Ｂ）に示したように２水平ラインずつ連続的に走査する表示を行う。
【００３３】
色補正回路１４は、色ガンマ特性を補正するものである。第２のメモリコントローラ１６は、オーバドライブ回路１５と第２のフレームバッファ２３との間の画像情報の書き込み読み出し制御を行うものである。オーバドライブ回路１５は、第２のフレームバッファ２３を介してフレーム遅延した画像と色補正回路１４からの遅延のない画像情報との組み合わせに従い、信号変換を行うものである。
【００３４】
タイミングジェネレータ回路部１７は、オーバドライブ回路１５からの画像信号を表示パネル４０を駆動するための信号に変換して、ソースドライバ４１とゲートドライバ４２とに供給するものである。データフォーマッタ１９は、ソースドライバ４１の伝送方式に従って画像データの配列を変換するものである。送信部２０は、ソースドライバ４１の伝送方式に従った信号転送を行うものである。制御信号生成部１８は、ソースドライバ４１とゲートドライバ４２とに対して制御信号を供給するものである。制御信号生成部１８は、ゲートドライバ４２に対しては、表示パネル４０の水平ラインを走査するためのゲートドライバ制御信号を供給する。ソースドライバ４１には駆動信号として、送信部２０を介してＲＧＢの画像データに応じた信号が入力されると共に、制御信号生成部１８からソースドライバ制御信号が入力される。ソースドライバ制御信号は、表示パネル４０の各画素に書き込みを行う電位の極性とレベル変換の制御をする信号である。
【００３５】
［第１の駆動モードによる動作］
この画像表示装置は、第１の駆動モードでは、図２および図４（Ａ）に示したようなサブ画素電極の組み合わせで表示を行う。すなわち、同一のゲートライン（例えばＧ１）上で水平方向に隣接し、かつ異なる２つのソースライン（例えばＳ１，Ｓ２）上にある第１のサブ画素電極（例えば１Ａ）と第２のサブ画素電極（例えば１Ｂ）とを互いに異なる階調特性で駆動する。そして、それら第１のサブ画素電極１Ａと第２のサブ画素電極１Ｂとを組み合わせて全体として１画素とみなした表示駆動を行う。
【００３６】
図８（Ａ）〜（Ｋ）は、第１の駆動モードで表示を行う場合の各種駆動信号の波形を示している。なお、図８（Ａ）〜（Ｋ）では、一様な輝度の画像を表示する場合を例にしている。図８（Ａ）は、水平走査の開始タイミング信号ＧＳＴＲの波形の一例を示している。図８（Ｂ）は、水平走査の基準クロック信号ＧＣＬＫの波形の一例を示している。図８（Ｃ）〜（Ｉ）は、第１〜第７のゲートラインＧ１〜Ｇ７に印加される走査信号の波形の一例を示している。図８（Ｊ）は、第１のソースラインＳ１に印加される画像信号の波形の一例を示している。図８（Ｋ）は、第２のソースラインＳ２に印加される画像信号の波形の一例を示している。
【００３７】
第１の駆動モードでは、図８（Ｃ）〜（Ｉ）に示したように、各ゲートラインが１ラインずつ走査される。第１のゲートラインＧ１が走査されているときには、図８（Ｊ）に示したように第１のソースラインＳ１には、Ｖ１＋の電位（コモン電位ＶＣに対して絶対値がＶ１で＋側の電位）が印加される。同時に、図８（Ｋ）に示したように第２のソースラインＳ２には、Ｖ３−の電位（コモン電位ＶＣに対して絶対値がＶ３で−側の電位）が印加される。絶対値Ｖ３は絶対値Ｖ１に比べて小さい値となっている。この場合、例えば図２における第１のサブ画素電極１ＡにはＶ１＋の電位が印加され、第２のサブ画素電極１ＢにはＶ３−の電位が印加される。これにより、全体として１画素を構成する第１のサブ画素電極１Ａと第２のサブ画素電極１Ｂとがそれぞれ互いに異なる階調特性で駆動されるようなハーフトーン駆動となり、階調の視角特性の改善効果が得られる。
【００３８】
［第２の駆動モードによる動作］
この画像表示装置は、第２の駆動モードでは、図３および図４（Ｂ）に示したようなサブ画素電極の組み合わせで表示を行う。第２の駆動モードでは、複数のゲートラインＧ１，Ｇ２，Ｇ３…を２ラインずつ順次同時に選択して複数のサブ画素電極を２つの水平ラインずつ走査する。かつ、同一のソースライン上で垂直方向に隣接し、かつ異なる２つのゲートライン上にある第１のサブ画素電極と第２のサブ画素電極とを全体として１画素とみなして表示駆動を行う。例えば図３に示したように、第１のソースラインＳ１に接続された第１のサブ画素電極１Ａと他の第２のサブ画素電極２Ｂとを全体として１画素とみなして表示駆動を行う。また例えば、図３に示したように、第２のソースラインＳ２に接続された第２のサブ画素電極１Ｂと他の第１のサブ画素電極２Ａとを全体として１画素とみなして表示駆動を行う。
【００３９】
ここで、第１の駆動モードにおいて１画素とみなされる組み合わせについて、第１および第２のサブ画素電極１Ａ，１Ｂの組み合わせを第１の画素とし、他の第１および第２のサブ画素電極２Ａ，２Ｂの組み合わせを第２の画素とする。これに対し、第２の駆動モードにおいて、第１および第２のゲートラインＧ１，Ｇ２を同時に選択したとき、第１および第２のゲートラインＧ１，Ｇ２と第１および第２のソースラインＳ１，Ｓ２との交点にある各サブ画素電極に関して考察する。第２の駆動モードでは、第１のゲートラインＧ１上の第２のサブ画素電極１Ｂと第２のゲートラインＧ２上の他の第１のサブ画素電極２Ａとが第１の駆動モードにおける第１の画素に対応する。また、第１のゲートラインＧ１上の第１のサブ画素電極１Ａと第２のゲートラインＧ２上の他の第２のサブ画素電極２Ｂとが第１の駆動モードにおける第２の画素に対応する。
【００４０】
図９（Ａ）〜（Ｋ）は、第２の駆動モードで表示を行う場合の各種駆動信号の波形を示している。図９（Ａ）は、水平走査の開始タイミング信号ＧＳＴＲの波形の一例を示している。図９（Ｂ）は、水平走査の基準クロック信号ＧＣＬＫの波形の一例を示している。図９（Ｃ）〜（Ｉ）は、第１〜第７のゲートラインＧ１〜Ｇ７に印加される走査信号の波形の一例を示している。図９（Ｊ）は、第１のソースラインＳ１に印加される画像信号の波形の一例を示している。図９（Ｋ）は、第２のソースラインＳ２に印加される画像信号の波形の一例を示している。
【００４１】
第２の駆動モードでは、図９（Ｃ）〜（Ｉ）に示したように、各ゲートラインが２ラインずつ走査される。第１のソースラインＳ１には図９（Ｊ）に示したように、Ｖ１５＋の電位（コモン電位ＶＣに対して絶対値がＶ１５で＋側の電位）が印加される。同時に、第２のソースラインＳ２には図９（Ｋ）に示したようにＶ３５−の電位（コモン電位ＶＣに対して絶対値がＶ３５で−側の電位）が印加される。絶対値Ｖ３５は絶対値Ｖ１５に比べて小さい値となっている。これにより、縦方向の２つのサブ電極画素に１画素に相当する画素データが書き込まれる。
【００４２】
以上説明したように、本実施の形態によれば、第２の駆動モードでは、複数のゲートラインを２ラインずつ順次同時に選択して複数のサブ画素電極を２水平ラインずつ走査するようにしたので、第１の駆動モードに対して駆動速度を２倍にすることができる。これにより、表示パネル４０が例えば１２０Ｈｚの駆動性能を有するものであった場合において、擬似的に２４０Ｈｚの駆動を行うことができる。
【００４３】
本実施の形態では、特に、第２の駆動モードでは、同一のソースライン上で垂直方向に隣接する２つのサブ画素電極を１画素とみなして表示駆動が行われる。これにより、第１の駆動モードのようなハーフトーン駆動はできないが、表示解像度を低下させることなく、第１の駆動モードに対して駆動速度を２倍にすることができる。
【００４４】
＜第２の実施の形態＞
次に、本発明の第２の実施の形態に係る画像表示装置について説明する。なお、上記第１の実施の形態に係る画像表示装置と実質的に同一の構成部分には同一の符号を付し、適宜説明を省略する。
【００４５】
本実施の形態に係る画像表示装置は、上記第１の実施の形態に対して第２の駆動モードによる動作が異なっている。表示パネル４０の基本的な画素構造（図２）や第１の駆動モードによる動作（図８）は上記第１の実施の形態と同様である。
【００４６】
この画像表示装置は、第２の駆動モードでは、図１０に示したようなサブ画素電極の組み合わせで表示を行う。第２の駆動モードでは、複数のゲートラインＧ１，Ｇ２，Ｇ３…を２ラインずつ順次同時に選択して複数のサブ画素電極を２つの水平ラインずつ走査する。かつ、第２の駆動モードでは、隣接する２つのソースラインと隣接する２つのゲートラインとの交点にある４つのサブ画素電極を組み合わせて全体として１画素とみなして表示駆動を行う。例えば第１のソースラインＳ１上で垂直方向に連続して配置された２つサブ画素電極１Ａ，２Ｂと、隣接する第２のソースラインＳ２上で垂直方向に連続して配置された２つのサブ画素電極１Ｂ，２Ａとを組み合わせて全体として１画素とみなして表示駆動を行う。
【００４７】
図１１（Ａ）〜（Ｋ）は、本実施の形態において、第２の駆動モードで表示を行う場合の各種駆動信号の波形を示している。図１１（Ａ）は、水平走査の開始タイミング信号ＧＳＴＲの波形の一例を示している。図１１（Ｂ）は、水平走査の基準クロック信号ＧＣＬＫの波形の一例を示している。図１１（Ｃ）〜（Ｉ）は、第１〜第７のゲートラインＧ１〜Ｇ７に印加される走査信号の波形の一例を示している。図１１（Ｊ）は、第１のソースラインＳ１に印加される画像信号の波形の一例を示している。図１１（Ｋ）は、第２のソースラインＳ２に印加される画像信号の波形の一例を示している。
【００４８】
第２の駆動モードでは、図１１（Ｃ）〜（Ｉ）に示したように、各ゲートラインが２ラインずつ走査される。第１のソースラインＳ１には図１１（Ｊ）に示したように、Ｖ２＋の電位（コモン電位ＶＣに対して絶対値がＶ２で＋側の電位）が印加される。同時に、第２のソースラインＳ２には図１１（Ｋ）に示したようにＶ２−の電位（コモン電位ＶＣに対して絶対値がＶ２で−側の電位）が印加される。すなわち、絶対値がＶ２となる、実質的に画素データとしては同じとなる電位が第１のソースラインＳ１と第２のソースラインＳ２とに印加される。これにより、隣接する縦方向と横方向の合計４つのサブ電極画素に１画素に相当する画素データが書き込まれる。
【００４９】
本実施の形態では、第１のソースラインＳ１と第２のソースラインＳ２とを同じ画像情報で駆動するので、図１の回路において、第１のフレームバッファ２１に格納する情報は駆動に使用するライン側だけでよい。すなわち、第２の駆動モードでは、入力画像信号から２水平ラインごとに１水平ラインのデータの間引きを行った画像信号を生成し、その間引き後の画像信号に基づいて表示パネルを駆動する。これにより信号帯域に余裕ができるので、例えばオーバドライブ回路１５の性能向上が図れる。また、回路間のデータ転送を低速転送にして駆動負荷を低減できる。また、表示解像度は低下するものの、第１の駆動モードに対して駆動速度を２倍にすることができる。
【００５０】
＜第３の実施の形態＞
次に、本発明の第３の実施の形態に係る画像表示装置について説明する。なお、上記第１または第２の実施の形態に係る画像表示装置と実質的に同一の構成部分には同一の符号を付し、適宜説明を省略する。
【００５１】
図１２は、本実施の形態に係る画像表示装置の全体構成を示している。この画像表示装置の回路構成は、タイミングコントローラ１０Ａにおいて受信部１１とデータ処理回路１２との間に３Ｄガンマ変換回路２４が設けられている点を除いて、図１の回路構成と同様である。本実施の形態では、第１の駆動モードにおいて１画素とみなした各サブ画素電極における階調特性と、第２の駆動モードにおいて１画素とみなした各サブ画素電極における階調特性とを互いに異ならせるような駆動を行う。３Ｄガンマ変換回路２４は、第２の駆動モードにおいてガンマ特性の変換を行うものである。
【００５２】
図１３は、３Ｄガンマ変換回路２４の第１の構成例を示している。この第１の構成例に係る３Ｄガンマ変換回路２４は、ＬＵＴ（ＯＤＤ）３１と、ＬＵＴ（ＥＶＮ）３２と、第１のセレクタ３３と、第２のセレクタ３４とで構成されている。ＬＵＴ（ＯＤＤ）３１は、垂直方向の奇数ライン（ソースラインＳ１，Ｓ３，Ｓ５…）の画素のガンマテーブルデータを格納するＬＵＴ（ルックアップテーブル）である。ＬＵＴ（ＥＶＮ）３２は、垂直方向の偶数ライン（ソースラインＳ２，Ｓ４，Ｓ６…）の画素のガンマテーブルデータを格納するルックアップテーブルである。第１のセレクタ３３は、ＬＵＴ（ＯＤＤ）３１とＬＵＴ（ＥＶＮ）３２とによってレベル変換された出力データをラインのパリティに従って選択して出力するものである。第２のセレクタ３４は、第１の駆動モード時には入力データをそのまま出力し、第２の駆動モード時には第１のセレクタ３３を介して入力された変換データを選択的に出力するようになっている。
【００５３】
図１４は、３Ｄガンマ変換回路２４の第２の構成例を示している。この第２の構成例は、図１３の第１の構成例に対して、第１のラインバッファ３５と、第２のラインバッファ３６とをさらに備えたものである。この第２の構成例では、第１のラインバッファ３５を設けることで、ライン遅延を発生させて、ＬＵＴ（ＯＤＤ）３１とＬＵＴ（ＥＶＮ）３２とにそれぞれ２ラインの画像データを入力する。この第２の構成例では、ＬＵＴ（ＯＤＤ）３１とＬＵＴ（ＥＶＮ）３２はそれぞれ、２画素の相関から補正値を算出するための２次元配列のルックアップテーブルを有している。この第２の構成例では、２ラインの画素の補正値が同時に生成されるので、第２のラインバッファ３６によって、後のラインデータをライン遅延させて後段の信号処理ブロックへ出力することで映像信号の変換を行う。  
【００５４】
この第２の構成例の３Ｄガンマ変換回路２４を用いることで、第２の駆動モードでは、入力画像信号における隣接する第１および第２の水平画素ライン上で上下に隣接する２つの画素の画素データに基づいて、１画素とみなした第１のサブ画素電極と第２のサブ画素電極とに印加する駆動信号の信号レベルが決定される。その駆動信号が、後段の駆動回路によって、１つのソースラインを介して第１のサブ画素電極と第２のサブ画素電極とに入力される。
【００５５】
図１５は、３Ｄガンマ変換回路２４の第３の構成例を示している。この第３の構成例は、図１４の第２の構成例の機能をさらに拡張させたものである。この第３の構成例は、図１３の第１の構成例に対して、第１のラインバッファ５１と、第２のラインバッファ５２と、第３のラインバッファ５３と、３×３フィルタ（ＥＶＮ）５４と、３×３フィルタ（ＯＤＤ）５５と、係数補正回路５６と、第１の加減算回路５７と、第２の加減算回路５８と、第４のラインバッファ５９とをさらに備えたものである。第１のラインバッファ５１、第２のラインバッファ５２および第３のラインバッファ５３は、入力画像信号に対して垂直３ライン分の遅延を発生させるものである。これにより、垂直方向の奇数ラインと偶数ラインとにおける処理対象となる各画素の上下ラインのデータを生成でき、対象画素を含み３ラインの画素データ列を得ることができる。その３ラインの画素データが、３×３フィルタ（ＥＶＮ）５４と３×３フィルタ（ＯＤＤ）５５とに入力される。３×３フィルタ（ＥＶＮ）５４と３×３フィルタ（ＯＤＤ）５５はそれぞれ、ドット遅延素子を内部に持ち、水平３ラインの遅延を発生させ、３×３の画素データを作成し、これに対応したオペレータを掛けてフィルタ係数を生成する。係数補正回路５６は、生成されたフィルタ係数の調整を行う。第１の加減算回路５７は、ＬＵＴ（ＯＤＤ）３１から出力された、２画素の相関から求められた補正値に対してフィルタ係数を加減算する。第２の加減算回路５８は、ＬＵＴ（ＥＶＮ）３２から出力された、２画素の相関から求められた補正値に対してフィルタ係数を加減算する。第４のラインバッファ５９は、第２の構成例における第２のラインバッファ３６と同様の機能を有するものであり、偶数ラインのラインデータをライン遅延させるものである。
【００５６】
この第３の構成例の３Ｄガンマ変換回路２４を用いることで、第２の駆動モードでは、入力画像信号における隣接する第１および第２の水平画素ライン上で上下に隣接する２つの画素の画素データと、２つの画素の周辺に位置する複数の他の画素の画素データとの相関に基づいて、１画素とみなした第１のサブ画素電極と第２のサブ画素電極とに印加する駆動信号の信号レベルが決定される。その駆動信号が、後段の駆動回路によって、１つのソースラインを介して第１のサブ画素電極と第２のサブ画素電極とに入力される。
【００５７】
図１６は、図２に示した画素構成（第１の駆動モード）での各サブ画素電極における階調−透過率特性を示している。図１７は、図１０に示した画素構成（第２の駆動モード）での各サブ画素電極における階調−透過率特性を示している。表示パネル４０は、各サブ画素電極ごとに階調−透過率特性（ガンマ特性）を持ち、第１のサブ画素電極Ａの特性（Ｓｕｂ Ａ）と第２のサブ画素電極Ｂの特性（Ｓｕｂ Ｂ）とが加算されたものが、１画素のガンマ特性（Ｓｕｂ Ａ＋Ｓｕｂ Ｂ）となる。
【００５８】
第１の駆動モードでは、図１６に示したように、第１のサブ画素電極Ａと第２のサブ画素電極Ｂとに差をつけたガンマ特性で駆動する。低階調にてなるべく視角特性の悪い透過率の状態を使用しないようにしているために図１６に示したようなガンマ特性になっている。第２の駆動モードでは、図１７に示したように、第１のサブ画素電極Ａと第２のサブ画素電極Ｂとのガンマ特性は、所望の合成ガンマ特性（Ｓｕｂ Ａ＋Ｓｕｂ Ｂ）に各サブ画素電極の面積比を掛けたものになる。
【００５９】
＜第４の実施の形態＞
次に、本発明の第４の実施の形態に係る画像表示装置について説明する。なお、上記第１ないし第３の実施の形態に係る画像表示装置と実質的に同一の構成部分には同一の符号を付し、適宜説明を省略する。
【００６０】
本実施の形態に係る画像表示装置は、上記第１の実施の形態に対して第２の駆動モードによる動作が異なっている。また、表示パネル４０の基本的な画素構造（図２）が異なっている。
【００６１】
この画像表示装置は、第２の駆動モードでは、図１８に示したようなサブ画素電極の組み合わせで表示を行う。本実施の形態では、表示パネル４０が、水平方向には２種類のサブ画素電極が交互に配置されると共に、垂直方向には２ラインずつ同一種類のサブ画素電極が周期的に現れるような画素配置とされている。例えば図１８の左上部分の画素では、垂直方向の２つのサブ画素電極１Ａ，１Ｂが第１の種類のサブ画素電極である。またこれに隣接する垂直方向の他の２つのサブ画素電極１Ｂ，２Ｂが第２の種類のサブ画素電極である。
【００６２】
本実施の形態では、垂直方向に現れるサブ画素電極の周期が図２の場合とは異なるものの、第１の駆動モードでは、水平１ラインずつ走査するので、基本的な動作は上記第１の実施の形態と同様である。本実施の形態においても、第１の駆動モードでは、全体として１画素を構成する水平方向に２つのサブ画素電極（例えばサブ画素電極１Ａ，１Ｂ）がそれぞれ互いに異なる階調特性で駆動されるようなハーフトーン駆動となり、階調の視角特性の改善効果が得られる。
【００６３】
第２の駆動モードでは、複数のゲートラインＧ１，Ｇ２，Ｇ３…を２ラインずつ順次同時に選択して複数のサブ画素電極を２つの水平ラインずつ走査する。かつ、同一のソースライン上で垂直方向に隣接し、かつ異なる２つのゲートライン上にある第１のサブ画素電極と第２のサブ画素電極とを１つの駆動単位として表示駆動を行う。例えば図１８に示したように、第１のソースラインＳ１に接続された第１のサブ画素電極１Ａと他の第１のサブ画素電極２Ａとを全体として第１の駆動単位として表示駆動を行う。また例えば、第２のソースラインＳ２に接続された第２のサブ画素電極１Ｂと他の第２のサブ画素電極１Ｂを全体として第２の駆動単位として表示駆動を行う。この場合において、第１の駆動単位の画素電極と第２の駆動単位の画素電極とを水平方向に互いに異なる階調特性となるように駆動する。第１の駆動単位の画素電極と第２の駆動単位の画素電極とを水平方向に組み合わせて全体として１画素とみなして表示駆動を行う。
【００６４】
図１９（Ａ）〜（Ｋ）は、第２の駆動モードで表示を行う場合の各種駆動信号の波形を示している。図１９（Ａ）は、水平走査の開始タイミング信号ＧＳＴＲの波形の一例を示している。図１９（Ｂ）は、水平走査の基準クロック信号ＧＣＬＫの波形の一例を示している。図１９（Ｃ）〜（Ｉ）は、第１〜第７のゲートラインＧ１〜Ｇ７に印加される走査信号の波形の一例を示している。図１９（Ｊ）は、第１のソースラインＳ１に印加される画像信号の波形の一例を示している。図１９（Ｋ）は、第２のソースラインＳ２に印加される画像信号の波形の一例を示している。
【００６５】
第２の駆動モードでは、図１９（Ｃ）〜（Ｉ）に示したように、各ゲートラインが２ラインずつ走査される。第１および第２のゲートラインＧ１，Ｇ２が走査されているときには、図１９（Ｊ）に示したように第１のソースラインＳ１には、Ｖ１＋の電位（コモン電位ＶＣに対して絶対値がＶ１で＋側の電位）が印加される。同時に、図１９（Ｋ）に示したように第２のソースラインＳ２には、Ｖ３−の電位（コモン電位ＶＣに対して絶対値がＶ３で−側の電位）が印加される。絶対値Ｖ３は絶対値Ｖ１に比べて小さい値となっている。この場合、例えば図１８における垂直方向の２つの第１のサブ画素電極１Ａ，２ＡにはＶ１＋の電位が印加される。垂直方向の第２のサブ画素電極１Ｂ，２ＢにはＶ３−の電位が印加される。
【００６６】
本実施の形態では、第２の駆動モードでは、複数のゲートラインを２ラインずつ順次同時に選択して複数のサブ画素電極を２水平ラインずつ走査するので、第１の駆動モードに対して駆動速度を２倍にすることができる。このとき、第１のソースラインＳ１上で垂直方向に２個連続して配置された第１の種類のサブ画素電極１Ａ，２Ａと、第２のソースラインＳ２上で垂直方向に２個連続して配置された第２の種類のサブ画素電極１Ｂ，２Ｂとを互いに異なる階調特性となるように駆動するので、駆動速度を２倍にしつつ、ハーフトーン駆動がなされる。これにより、表示解像度は低下するが、階調の視角特性の改善効果を得た状態で、第１の駆動モードに対して駆動速度を２倍にすることができる。
【００６７】
＜その他の実施の形態＞
本発明は、上記各実施の形態に限定されず種々の変形実施が可能である。
例えば上記各実施の形態では、第２の駆動モードにおいて、複数のゲートラインを２（Ｎ＝２）ラインずつ順次同時に選択して複数のサブ画素電極を２つの水平ラインずつ走査する場合について説明したが、Ｎ＝３ライン以上ずつ順次同時に走査するようにしても良い。例えば、上記第４の実施の形態（図１８，図１９）において、垂直方向に３ライン以上ずつ同一種類のサブ画素電極が周期的に現れるような画素配置として、３ライン以上ずつ順次同時に走査するようにしても良い。
【００６８】
この場合、第２の駆動モードでは、入力画像信号からＮ水平ラインごとに（Ｎ−１）水平ラインのデータの間引きを行った画像信号を生成し、その間引き後の画像信号に基づいて表示パネルを駆動する。第２の駆動モードでは、第１の駆動モードに対して１／Ｎの走査期間で１画面の走査を行うことができる。第２の駆動モードでは、例えば１フレーム期間内に、同一の左眼用画像をＮ回連続して表示すると共に、左眼用画像の表示前または表示後に、同一の右眼用画像をＮ回連続して表示する制御を行うような場合に用いることができる。
【００６９】
また、上記各実施の形態では、入力画像信号として、互いに視差のある左眼用画像と右眼用画像とが時間順次で含まれる立体画像信号が入力された場合を例に説明したが、本発明における駆動方法は、立体画像信号以外にも適用可能である。
【符号の説明】
【００７０】
Ｇ１…第１のゲートライン、Ｇ２…第２のゲートライン、Ｓ１…第１のソースライン、Ｓ２…第２のソースライン、１Ａ…第１のサブ画素電極、１Ｂ…第２のサブ画素電極、２Ａ…他の第１のサブ画素電極、２Ｂ…他の第２のサブ画素電極、１０，１０Ａ…タイミングコントローラ（ＬＣＤコントローラ）、１１…受信部、１２…データ処理回路、１３…第１のメモリコントローラ、１４…色補正回路、１５…オーバドライブ回路、１６…第２のメモリコントローラ、１７…タイミングジェネレータ回路部、１８…制御信号生成部、１９…データフォーマッタ、２０…送信部、２１…第１のフレームバッファ、２２…外部ＲＯＭ、２３…第２のフレームバッファ、２４…３Ｄガンマ変換回路、３１…ＬＵＴ（ＯＤＤ）、３２…ＬＵＴ（ＥＶＮ）、３３…第１のセレクタ、３４…第２のセレクタ、３５…第１のラインバッファ、３６…第２のラインバッファ、４０…表示パネル、４１（４１−１，４１−２，…４１−ｎ）…ソースドライバ、４２（４２−１，４２−２，…４２−ｍ）…ゲートドライバ、５１…第１のラインバッファ、５２…第２のラインバッファ、５３…第３のラインバッファ、５４…３×３フィルタ（ＥＶＮ）、５５…３×３フィルタ（ＯＤＤ）、５６…係数補正回路、５７…第１の加減算回路、５８…第２の加減算回路。
【図１】
2011076034.tif 000003
【図２】
2011076034.tif 000004
【図３】
2011076034.tif 000005
【図４】
2011076034.tif 000006
【図５】
2011076034.tif 000007
【図６】
2011076034.tif 000008
【図７】
2011076034.tif 000009
【図８】
2011076034.tif 000010
【図９】
2011076034.tif 000011
【図１０】
2011076034.tif 000012
【図１１】
2011076034.tif 000013
【図１２】
2011076034.tif 000014
【図１３】
2011076034.tif 000015
【図１４】
2011076034.tif 000016
【図１５】
2011076034.tif 000017
【図１６】
2011076034.tif 000018
【図１７】
2011076034.tif 000019
【図１８】
2011076034.tif 000020
【図１９】
2011076034.tif 000021